【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
画像ストリームを表示し始める開始画像を選択する方法であって、
（１）前記画像ストリーム内から、ユーザが最も近い候補画像を選択するための複数の候補画像を表示する繰返しステップと、
（２）ステップ（１）に応じてユーザによって選択された前記候補画像に近い前記画像ストリームの時間範囲内から前記複数の候補画像を表示する繰返しステップと、
（３）前記繰返しステップの最後で候補画像の前記選択に応じた前記開始画像を表示する繰返しステップとを含む方法。
【請求項２】
先の繰返しに応じて前記ユーザによって選択された前記候補画像に近い前記画像ストリームの時間範囲内から複数の候補画像を表示する１つまたは複数の繰返しステップを更に含む請求項１に記載の方法。
【請求項３】
前記候補画像を表示する際に、画像は時系列で表示される請求項１または２に記載の方法。
【請求項４】
前記候補画像を表示する際に、前記候補画像は、参照画像を再選択するために使用されるユーザコントローラ上の複数のキーと同じ構成で配置される請求項１から３のいずれかに記載の方法。
【請求項５】
候補画像のハード選択に応じて、前記画像ストリームは、その画像から再生され始める請求項４に記載の方法。
【請求項６】
候補画像を選択するキーを比較的長い時間押し続けることによりハード選択が行われる請求項５に記載の方法。
【請求項７】
短期間内にキーを２度押すことによりハード選択が行われる請求項５に記載の方法。
【請求項８】
前記候補画像は、タッチセンシティブ画面上に配列され、それにより前記画面上の候補画像に触れることでその候補画像が選択される請求項１から３のいずれかに記載の方法。
【請求項９】
各候補画像は、対応する選択番号と共に表示される請求項１から８のいずれかに記載の方法。
【請求項１０】
前記画像ストリームの最初に参照画像を含む、候補画像を表示する前記画像ストリームを定義するステップを含む請求項１から９のいずれかに記載の方法。
【請求項１１】
前記候補画像を表示するステップは、更に、参照画像に対する各候補画像の経過時間を表示するステップを含む請求項１０に記載の方法。
【請求項１２】
前記候補画像は静止画像である請求項３から１１のいずれかに記載の方法。
【請求項１３】
前記候補画像がそれぞれある一定の時間間隔だけ離された請求項３から１２のいずれかに記載の方法。
【請求項１４】
前記各連続した繰返しの時間間隔を短くするステップを更に含む請求項１３に記載の方法。
【請求項１５】
各連続の繰返しにおいて、時間間隔が等比級数に従って短くなる請求項１４に記載の方法。
【請求項１６】
前記候補画像間の経過時間は調整可能である請求項１１から１５のいずれかに記載の方法。
【請求項１７】
前記候補画像間の経過時間は、コントローラ上のキーを使用してあるいはタッチセンシティブ画面上の選択可能領域を使用して調整することができる請求項１６に記載の方法。
【請求項１８】
候補画像を表示する各ステップは、前記候補画像の１つとして参照画像を表示するステップを含む請求項１０から１７のいずれかに記載の方法。
【請求項１９】
前記参照画像は、前記画像ストリーム内で前記候補画像の１つまたは複数より前にある請求項１０から１８のいずれかに記載の方法。
【請求項２０】
所定回数の繰返しを実行した後で開始画像が表示される請求項１から１９のいずれかに記載の方法。
【請求項２１】
実行される繰返しの数をカウントするステップを更に含む請求項１から２０のいずれかに記載の方法。
【請求項２２】
前記選択された開始画像から始まる前記画像ストリームを表示するステップを更に含む請求項１から２１のいずれかに記載の方法。
【請求項２３】
前記候補画像間の経過時間または前記画像ストリームの持続時間を分析し、それにより実行される繰返し数を増減するステップを含む請求項１から２２のいずれかに記載の方法。
【請求項２４】
画像ストリームを表示し始める開始画像を選択するプロセッサで使用される方法であって、
（１）データソースから画像ストリームを受け取るステップと、
（２）前記画像ストリームを表示装置に転送するステップと、
（３）参照画像の選択を示す信号を受け取るステップと、
（４）最も近い候補画像をユーザが選択するために前記画像ストリーム内から複数の候補画像を表示するステップと、
（５）ステップ（４）で選択された前記候補画像に近い時間範囲でステップ（４）を繰り返すステップと、
（６）前記候補画像を表示するステップのうち最後の候補画像の選択に応じた前記開始画像を表示するステップを含む方法。
【請求項２５】
コンピュータによって実行されたときに、請求項１から２４のいずれかに記載の方法を実行するためにコンピュータを制御するように構成されたコンピュータプログラムまたはコンピュータプログラム一式。
【請求項２６】
請求項２５に記載のコンピュータプログラムまたはコンピュータプログラム一式のうちの少なくとも１つを記憶するコンピュータ可読記憶媒体。
【請求項２７】
画像のストリームを供給するシステムであって、
（１）画像ソースから画像のストリームを受け取り、表示装置へのビデオ出力を生成するように構成されたプロセッサと、
（２）検索モードを開始して前記画像ストリームを表示し始める開始画像を見つけるために前記プロセッサを操作するように構成されたユーザコントローラとを有し、
（ａ）前記プロセッサは、最も近い候補画像をユーザが選択するために前記画像ストリーム内からの複数の候補画像を表示し、
（ｂ）その後で先に選択した画像に近い前記画像ストリームの時間範囲内からのこのステップを繰り返し、
（ｃ）前記繰返しステップの最後で候補画像の選択に応じた前記開始画像を表示するシステム。
【請求項２８】
所定回数の繰返しを実行した後で前記開始画像が表示される請求項２７に記載のシステム。
【請求項２９】
前記プロセッサは、繰返しの数をカウントするように構成された請求項２７または２８に記載のシステム。
【請求項３０】
前記プロセッサは、前記選択された開始画像から開始される前記画像ストリームを表示するように構成された請求項２７から２９のいずれかに記載のシステム。
【請求項３１】
前記プロセッサは、使用中に、それぞれの連続した繰返しで検索された前記画像ストリームの範囲を狭くするように更に構成された請求項２７から３０のいずれかに記載のシステム。
【請求項３２】
それぞれの繰返しにおいて、前記コントローラは、使用中に、前記表示装置上に参照画像として表示される前記候補画像のうちの１つを再選択するように構成された請求項３１に記載のシステム。
【請求項３３】
システムは、前記候補画像のハード選択に応じて前記候補画像から前記画像ストリームを再生し始めるように構成された請求項３２に記載のシステム。
【請求項３４】
システムは、前記コントローラのキーを比較的長い持続時間押し続けることによって前記ハード選択が実現されるように構成された請求項３３に記載のシステム。
【請求項３５】
システムは、前記コントローラのキーを短期間に２度押すことによって前記ハード選択が実現されるように構成された請求項３３に記載のシステム。
【請求項３６】
選択用に前記候補画像を表示するように構成されたタッチセンシティブ画面を有する請求項２７から３２のいずれかに記載のシステム。
【請求項３７】
前記表示装置は、前記候補画像を時系列で表示するように構成された請求項３１から３６のいずれかに記載のシステム。
【請求項３８】
参照画像は、前記画像ストリーム内で前記候補画像の１つまたは複数より前にある請求項３１から３７のいずれかに記載のシステム。
【請求項３９】
前記プロセッサは、各候補画像の初期参照に対する経過時間を前記表示装置に表示させるように構成された請求項３１から３８のいずれかに記載のシステム。
【請求項４０】
前記プロセッサは、前記候補画像間の経過時間を調整することができるように構成された請求項２７から３９のいずれかに記載のシステム。
【請求項４１】
前記コントローラは、前記候補画像間の経過時間を調整するためにユーザによって操作されるように構成された１つまたは複数のキーを有する請求項４０に記載のシステム。
【請求項４２】
前記コントローラは、前記表示装置に表示される前記候補画像と同じ構成で構成された少なくとも２個のキーを有し、各候補画像が１つのキーに対応する請求項３１から４１のいずれかに記載のシステム。
【請求項４３】
前記プロセッサは、前記候補画像を選択するように構成され、各候補画像は前記画像ストリーム内で同じ時間間隔だけ離されており、前記時間間隔はそれぞれの連続した繰返しごとに短くなる請求項３１から４２のいずれかに記載のシステム。
【請求項４４】
前記参照画像は所定の回数再選択される請求項３１から４３のいずれかに記載のシステム。
【請求項４５】
前記プロセッサは、前記候補画像間の経過時間または前記画像ストリームの持続時間を分析し、それにより方法によって実行される繰返し数を増減するように構成された請求項２７から４４のいずれかに記載のシステム。
【請求項４６】
前記プロセッサは、前記開始画像から始まる前記画像ストリームを表示するために表示手段を制御するように構成された請求項２７から４５のいずれかに記載のシステム。
【請求項４７】
システムは、更に、メモリキャッシュを含み、メモリキャッシュは、前記プロセッサによって制御可能であり、かつ前記プロセッサに対してローカルに前記画像ストリームの一部分をダウンロードするように構成された請求項２７から４５のいずれかに記載のシステム。
【請求項４８】
個人用ビデオレコーダは、プロセッサを含み、メモリを有する請求項２７から４７のいずれかに記載のシステム。
【請求項４９】
画像ストリームを表示し始める開始画像を選択するためのプロセッサであって、データソースから前記画像ストリームを受け取り、前記画像ストリームを表示装置に転送し、制御手段から信号を受け取るための入出力を有し、使用中に、
（１）前記データソースから前記画像ストリームを受け取り、
（２）前記画像ストリームを前記表示装置に転送し、
（３）前記表示装置から選択された初期参照画像を示す信号を前記制御手段から受け取り、
（４）前記画像ストリーム内の最後の参照画像の時間期間内にある前記開始画像を選択するために前記参照画像を繰り返し再選択するように構成されたプロセッサ。